(57)【要約】  遮断器操作装置の開閉指示装置は、ボタン（１）と指示部材（２）とを有し、ボタン（１）内にキャビティ（１０１）が設けられ、指示部材（２）がキャビティ（１０１）内に回動可能に取り付けられ、ボタン（１）に観察窓（１０２）が設置され、指示部材（２）の回動過程において観察窓（１０２）により異なるエリアを表示することができる。指示部材（２）とハウジング（３）との間の小さな隙間による指示部材（２）の回動角度への影響が比較的に小さく、指示部材（２）により遮断器のＯＮ／ＯＦＦ状態を正確的に指示することができる。製品の組み立て時に、組立に必要な隙間に対する要求が比較的に低い。指示部材（２）が自由状態になるとき、ハウジング（３）における凸出部（４）が指示部材（２）を正確的な位置に押し付けることができるので、生産効率を向上させることができる。
2021503703.tif 000002
【特許請求の範囲】
【請求項１】
ボタン（１）と指示部材（２）とを有し、前記ボタン（１）内にキャビティ（１０１）が設けられ、前記指示部材（２）が前記キャビティ（１０１）内に回動可能に位置し、前記ボタン（１）に観察窓（１０２）が設置され、前記指示部材（２）の回動過程において観察窓（１０２）により異なるエリアを表示することができる遮断器操作装置の開閉指示装置であって、
前記指示部材（２）は、回動盤（２０１）を含み、前記回動盤（２０１）の側面から取付回動軸（２０２）が延出し、前記取付回動軸（２０２）が前記キャビティ（１０１）の内壁における取付孔（１０１ａ）内に回動可能に取り付けられ、
前記回動盤（２０１）の外縁側に協働翼部（２０４）が設けられ、前記回動盤（２０１）の外縁面から表示柄（２０５）が延出し、前記表示柄（２０５）の表示面（２０３）が前記観察窓（１０２）と対応し、
前記指示部材（２）の回動過程において、観察窓（１０２）により前記表示面（２０３）の異なるエリアを表示することができ、
前記ボタン（１）は、遮断器のハウジング（３）のボタン溝（３０１）内に取り付けられ、前記ハウジング（３）の内壁における協働翼部（２０４）に対応する箇所に凸出部（４）が設けられ、前記ボタン（１）は、Ｕ字形リンク（５）を介してハンドル（６）と接続される
ことを特徴とする遮断器操作装置の開閉指示装置。
【請求項２】
前記協働翼部（２０４）は、左翼部（２０４ａ）と右翼部（２０４ｂ）とを含み、
前記凸出部（４）は、前記指示部材（２）の回動過程において、左翼部（２０４ａ）又は右翼部（２０４ｂ）のそれぞれを押動するとともに押し付けることができる
ことを特徴とする請求項１に記載の遮断器操作装置の開閉指示装置。
【請求項３】
前記左翼部（２０４ａ）及び右翼部（２０４ｂ）は、それぞれ押動円弧部と押付直部とを含むことを特徴とする請求項２に記載の遮断器操作装置の開閉指示装置。
【請求項４】
前記観察窓（１０２）は、前記ボタン（１）の左側の端面に設置されることを特徴とする請求項１に記載の遮断器操作装置の開閉指示装置。
【請求項５】
前記Ｕ字形リンク（５）は、一端が前記ボタン（１）におけるトラック孔（１０３）内に取り付けられ、他端が前記ハンドル（６）と接続されることを特徴とする請求項１に記載の遮断器操作装置の開閉指示装置。
【請求項６】
前記表示柄（２０５）は、弾性表示柄であることを特徴とする請求項１に記載の遮断器操作装置の開閉指示装置。
【請求項７】
前記協働翼部（２０４）は、弾性協働翼部であることを特徴とする請求項１に記載の遮断器操作装置の開閉指示装置。
【発明の詳細な説明】
【技術分野】
【０００１】
本発明は、遮断器の技術分野に属し、具体的に、遮断器操作装置の開閉指示装置に関する。
【背景技術】
【０００２】
現在、市販の万能型遮断器の開閉操作装置は、ボタンがカバー内に配置されるものであり、ボタンがカバーのスライド溝内において前後に移動し、バネによりボタンを元の位置に戻すことができる。遮断器の操作機構に、操作機構に固定されるとともに一定範囲内で前後移動することができるガイド移動レバーが設置される。ガイド移動レバーは、一端がカバーにおけるボタンと接触し、他端が構造部品を介して操作機構の開閉軸と協働する。開閉操作を行う場合、ボタンが押動され、ガイド移動レバー及び関連の構造部品の協働により、操作機構の開閉動作が完成される。このような従来の遮断器の開閉操作装置は、操作ボタンが押されると、遮断器がＯＮになり、操作力を取り除き、遮断器の操作ボタンが元の位置に戻され、もう一回ボタンが押されると、遮断器がＯＦＦになる。遮断器がキャビネット内に取り付けられ且つＯＮになった場合、遮断器を抜き出すときに遮断器がＯＦＦにならないため、遮断器の端子にアークが生じ、近くの設備の安全を脅かす。このため、誤って遮断器をＯＮにすることに起因した安全事故を防止するように、遮断器の開閉状態を表示しなければならない。
【０００３】
中国特許第ＺＬ２０１７２０１７１４９８．７号に開示される開閉指示機能を備える遮断器操作機構は、ボタンと指示部材とを有し、上記ボタン内にキャビティが設けられ、指示部材がキャビティ内に揺動可能に取り付けられ、上記ボタンに観察窓が設置され、指示部材の揺動過程において観察窓により異なるエリアを表示することができる。該遮断器の接点開閉時に、操作ボタンが対応に２種の異なる状態になり、それによって、指示部材によりＯＮ／ＯＦＦの状態を表示する。しかし、該指示装置ボタンの移動過程において、ハウジングにおける凸出部が指示部材における歯を押動することによって、指示部材をボタン内で回動させる。ハウジングにおける凸出部が平歯車の１つの歯に相当し、歯車駆動の原理で運動する。歯車構造の隙間に対する要求が高く、ハウジングと指示部材との歯間隙間が比較的に大きい場合、指示部材の回動角度の誤差も比較的に大きくなり、ボタンから露出した部分の色が正確でなく、半分が赤色で半分が緑色であることが観察孔から観察されることがあり、遮断器のＯＮ／ＯＦＦ状態を正確的に指示することができない。一方、製品の組み立て時、自由状態の指示部材における２つの歯がハウジングにおける凸出部と正確に位置合わせることができなく、組み立てた後ハウジングにおける凸出部が指示部材における２つの歯の間に位置しなく、組立間違いが発生することがあるので、生産効率が低下する。
【発明の概要】
【発明が解決しようとする課題】
【０００４】
本発明は、従来の遮断器の操作装置の開閉指示装置が歯車伝動を用いるため、指示が不正確になりやすく、組立困難であるという技術的欠陥を鑑みてなされたものであり、遮断器操作装置の開閉指示装置を提供することを目的とする。遮断器操作装置の開閉指示装置は、ボタンの移動過程において、ハウジングにおける凸出部がボタン内における指示部材の該当部位を押し付けるので、指示部材に指示機能を付与する。遮断器は、ＯＦＦ位置又はＯＮ位置になる場合、ハウジングにおける凸出部により押し付けられる指示部材の該当部位と指示部材の回動中心との距離が比較的に遠く、指示部材とハウジングとの間の小さな隙間による指示部材の回動角度への影響が比較的に小さく、指示部材により遮断器のＯＮ／ＯＦＦ状態を正確的に指示することができる。また、製品の組み立て時に、自由状態の指示部材の角度に関わらず、ハウジングにおける凸出部が指示部材を正確な位置に押し付けることができるので、生産効率を向上させることができる。
【課題を解決するための手段】
【０００５】
上記技術の目的を実現するため、本発明による遮断器操作装置の開閉指示装置は、ボタンと指示部材とを有し、前記ボタン内にキャビティが設けられ、前記指示部材が前記キャビティ内に回動可能に取り付けられ、前記ボタンに観察窓が設置され、前記指示部材の回動過程において観察窓により異なるエリアを表示することができる遮断器操作装置の開閉指示装置であって、
前記指示部材は、回動盤を含み、前記回動盤の側面から取付回動軸が延出し、前記取付回動軸が前記キャビティの内壁における取付孔内に回動可能に取り付けられ、前記回動盤の外縁側に協働翼部が設けられ、前記回動盤の外縁面から表示柄が延出し、前記表示柄の表示面が前記観察窓と対応し、前記指示部材の回動過程において観察窓により前記表示面の異なるエリアを表示することができ、
前記ボタンは、遮断器のハウジングのボタン溝内に取り付けられ、前記ハウジングの内壁における協働翼部に対応する箇所に凸出部が設けられ、前記ボタンは、Ｕ字形リンクを介してハンドルと接続されることを特徴とする。
【０００６】
さらに、前記協働翼部は、左翼部と右翼部とを含み、前記凸出部は、前記指示部材の回動過程において、左翼部又は右翼部のそれぞれを押動するとともに押し付けることができる。
【０００７】
さらに、前記左翼部及び右翼部は、それぞれ押動円弧部と押付直部とを含む。
【０００８】
さらに、前記観察窓は、前記ボタンの左側の端面に設置される。
【０００９】
さらに、前記Ｕ字形リンクは、一端が前記ボタンにおけるトラック孔内に取り付けられ、他端が前記ハンドルと接続される。
【００１０】
前記表示柄は、弾性表示柄であることが好ましい。
【００１１】
前記協働翼部は、弾性のものであることが好ましい。
【発明の効果】
【００１２】
本発明による遮断器操作装置の開閉指示装置は、ボタンの移動過程において、ハウジングにおける凸出部がボタン内における指示部材の該当部位を押し付けるので、指示部材に指示機能を付与する。遮断器は、ＯＦＦ位置又はＯＮ位置になる場合、ハウジングにおける凸出部により押し付けられる指示部材の該当部位と指示部材の回動中心との距離が比較的に遠く、指示部材とハウジングとの間の小さな隙間による指示部材の回動角度への影響が比較的に小さく、指示部材により遮断器のＯＮ／ＯＦＦ状態を正確的に指示することができる。また、製品の組み立て時に、組立に必要な隙間に対する要求が比較的に低い。自由状態の指示部材の角度に関わらず、ハウジングにおける凸出部が指示部材を正確な位置に押し付けることができるので、生産効率を向上させることができる。
【図面の簡単な説明】
【００１３】
【図１】本発明の実施例の構成模式図である。
【図２】本発明の実施例におけるボタンの構成模式図である。
【図３】本発明の実施例における指示部材の構成模式図である。
【図４】本発明の実施例において遮断器がＯＦＦとなるとき指示部材の位置を示す模式図である。
【図５】本発明の実施例において遮断器がＯＮとなるとき指示部材の位置を示す模式図である。
【図６】本発明の実施例における指示装置の遮断器における位置を示す模式図である。
【発明を実施するための形態】
【００１４】
以下、図面及び実施例を参照しながら、本発明をさらに説明する。
【００１５】
（実施例１）
遮断器操作装置の開閉指示装置は、図１に示すように、ボタン１と指示部材２とを有し、上記ボタン１内にキャビティ１０１が設けられ、上記指示部材２が上記キャビティ１０１内に回動可能に取り付けられ、上記ボタン１に観察窓１０２が設置され、上記観察窓１０２が上記ボタン１の左側の端面に設置される。上記指示部材２の回動過程において観察窓１０２により異なるエリアを表示することができる。
【００１６】
上記指示部材２は、図３に示すように、回動盤２０１を含み、上記回動盤２０１の側面から取付回動軸２０２が延出し、上記取付回動軸２０２が上記キャビティ１０１の内壁における取付孔１０１ａ内に回動可能に取り付けられる。上記回動盤２０１の外縁側に協働翼部２０４が設けられ、上記回動盤２０１の外縁面から表示柄２０５が延出し、上記表示柄２０５の表示面２０３が上記観察窓１０２と対応する。上記表示面２０３は、エリア２０３ａとエリア２０３ｂとを含み、上記指示部材２の回動過程において観察窓１０２により異なるエリアを表示することができる。ここで、エリア２０３ａが緑色であり、エリア２０３ｂが赤色である。
【００１７】
上記ボタン１は、図６に示すように、遮断器のハウジング３のボタン溝３０１内に取り付けられる。図２に示すように、上記ハウジング３の内壁における協働翼部２０４に対応する箇所に凸出部４が設けられ、上記ボタン１がＵ字形リンク５を介してハンドル６と接続される。上記Ｕ字形リンク５は、一端が上記ボタン１におけるトラック孔１０３内に取り付けられ、他端が上記ハンドル６と接続される。
【００１８】
詳細的に、上記協働翼部２０４は、左翼部２０４ａと右翼部２０４ｂとを含み、上記指示部材２の回動過程において上記凸出部４が左翼部２０４ａ又は右翼部２０４ｂのそれぞれを押動するとともに押し付けることができる。上記左翼部２０４ａ及び右翼部２０４ｂは、それぞれ押動円弧部と押付直部とを含む。
【００１９】
図４は、遮断器のＯＦＦ状態を示す。図４に示すように、ハウジング３における凸出部４により指示部材２の右翼部２０４ｂが押し付けられ、指示部材２の左側の表示面２０３の下部がボタン１のキャビティ１０１の下壁に密接され、表示面２０３ａが観察窓１０２に向かうようになり、観察窓１０２から見られる指示部材２の色が緑色である。右へボタン１を押動することによって、遮断器機構を回動させて遮断器をＯＮにする。さらに、ボタン１を放すと、ボタン１がＯＮ位置に止まる。ボタン１が押される過程において、ハウジング３における凸出部４は、指示部材２の右翼部２０４ｂを押し付ける状態から指示部材２の左翼部２０４ａを押し付ける状態になり、指示部材２が時計回りに回動する。これによって、観察窓１０２から見られる指示部材２が表示エリア２０３ａから表示エリア２０３ｂに変更され、色が緑色から赤色に変更された。
【００２０】
図５は、遮断器のＯＮ状態を示す。図５に示すように、ハウジング３における凸出部４により指示部材２の左翼部２０４ａが押し付けられ、指示部材２の左側の表示面２０３の上部がボタン１のキャビティ１０１の上壁に密接され、表示面２０３ｂが観察窓１０２に向かうようになり、観察窓１０２から見られる指示部材２の色が赤色である。左へボタン１を引っ張ることによって、遮断器機構を回動させて遮断器をＯＦＦにする。さらに、ボタン１を放すと、ボタン１がＯＦＦ位置に止まる。ボタン１が引き出される過程において、ハウジング３における凸出部４は、指示部材２の左翼部２０４ａを押し付ける状態から指示部材２の右翼部２０４ｂを押し付ける状態になり、指示部材２が反時計回りに回動する。これによって、観察窓１０２から見られる指示部材２が表示エリア２０３ｂから表示エリア２０３ａに変更され、色が赤色から緑色に変更された。
【００２１】
（実施例２）
本発明によるもう１つの実施例として、上記指示部材２的観察面と回動盤２０１とを接続する表示柄２０５は弾性部材である。指示部材２の左側の観察面がボタン１の側壁に接触すると、ハウジング３における凸出部４により指示部材２の左翼部２０４ａ又は右翼部２０４ｂが押し付けられて、指示部材２の観察面と回動軸との間の表示柄２０５は、弾性変形が発生する。本実施例による指示装置の他の部品、構成方式は、実施例１と同様である。
【００２２】
（実施例３）
本発明によるもう１つの実施例として、上記指示部材２の協働翼部２０４のうちの左翼部２０４ａと右翼部２０４ｂは、弾性部材である。指示部材２の左側観察面がボタン１の側壁に接触すると、ハウジング３における凸出部４により指示部材２の左翼部２０４ａ又は右翼部２０４ｂが押し付けられて、指示部材２の左翼部２０４ａ又は右翼部２０４ｂは、弾性変形が発生する。本実施例による指示装置の他の部品、構成方式は、実施例１と同様である。
【００２３】
本実施例で図示した構成、比例、大きさ、数量等は、当該技術の熟練した人々が明細書に開示された内容を理解及び閲覧するためものにすぎず、本発明の実施を限定するための限定条件ではないので、技術上の実質的な意義を有していない。如何なる構成の改良、比例関係の変更又は大きさの調整は、本発明の効果及び目的に影響しない限り、本発明に開示される技術内容がカバーできる範囲内に該当する。また、本明細書に記載の例えば「上」、「下」、「左」、「右」、「中間」、「時計回り」、「反時計回り」等の用語は、明瞭に説明するためのものに過ぎず、本発明の実施の範囲を限定するものではない。その相対関係の変更又は調整は、技術内容に対する実質的な変更がない限り、本発明の実施の範囲内に該当する。
【図１】
2021503703.tif 000003
【図２】
2021503703.tif 000004
【図３】
2021503703.tif 000005
【図４】
2021503703.tif 000006
【図５】
2021503703.tif 000007
【図６】
2021503703.tif 000008
【国際調査報告】
2021503703.tif 000009
2021503703.tif 000010
2021503703.tif 000011
2021503703.tif 000012